(57)【要約】【課題】無線基地局ＤｅＮＢとリレーノードＲＮとの間でＭＢＳＦＮサブフレームを有効にするタイミングについて同期させる。【解決手段】本発明に係る移動通信方法は、無線基地局ＤｅＮＢが、リレーノードＲＮに対して、ＭＢＳＦＮサブフレームの設定情報及び所定期間を通知する「ＲＲＣ  Ｃｏｎｎｅｃｔｉｏｎ  Ｒｅｃｏｎｆｉｇｕｒａｔｉｏｎ」を送信する工程と、リレーノードＲＮが、「ＲＲＣ  Ｃｏｎｎｅｃｔｉｏｎ  Ｒｅｃｏｎｆｉｇｕｒａｔｉｏｎ」を受信してから所定時間が経過した際に、すなわち、タイミングｔ４において、ＭＢＳＦＮサブフレームの設定情報を有効にする工程とを有する。【選択図】図３
2011223122.tif 000002
【特許請求の範囲】
【請求項１】
無線基地局が、リレーノードに対して、ＭＢＳＦＮサブフレームの設定情報及び所定期間を通知する構成情報を送信する工程と、
前記リレーノードが、前記構成情報を受信してから前記所定期間が経過した際に、前記ＭＢＳＦＮサブフレームの設定情報を有効にする工程とを有することを特徴とする移動通信方法。
【請求項２】
無線基地局が、リレーノードに対して、ＭＢＳＦＮサブフレームの設定情報を通知する構成情報を送信する工程と、
前記リレーノードが、前記構成情報を受信した後、所定システムフレームの送受信タイミングが到来した際に、前記ＭＢＳＦＮサブフレームの設定情報を有効にする工程とを有することを特徴とする移動通信方法。
【請求項３】
前記リレーノードが、前記ＭＢＳＦＮサブフレームの設定情報を有効にするタイミングよりも報知情報変更期間に対応する時間だけ前のタイミングから、該リレーノード配下のセル内の移動局に対して、報知情報の内容が変更になることを通知する変更通知情報を送信する工程を有することを特徴とする請求項１又は２に記載の移動通信方法。
【請求項４】
無線基地局から、ＭＢＳＦＮサブフレームの設定情報及び所定期間を通知する構成情報を受信した場合、該構成情報を受信してから該所定期間が経過した際に、該ＭＢＳＦＮサブフレームの設定情報を有効にするように構成されている設定部を具備することを特徴とするリレーノード。
【請求項５】
無線基地局から、ＭＢＳＦＮサブフレームの設定情報を通知する構成情報を受信した後、所定システムフレームの送受信タイミングが到来した際に、該ＭＢＳＦＮサブフレームの設定情報を有効にするように構成されている設定部を具備することを特徴とするリレーノード。
【請求項６】
前記ＭＢＳＦＮサブフレームの設定情報を有効にするタイミングよりも報知情報変更期間に対応する時間だけ前のタイミングから、配下のセル内の移動局に対して、報知情報の内容が変更になることを通知する変更通知情報を送信するように構成されている送信部を具備することを特徴とする請求項４又は５に記載のリレーノード。
【発明の詳細な説明】
【技術分野】
【０００１】
本発明は、移動通信方法及びリレーノードに関する。
【背景技術】
【０００２】
ＬＴＥ（Ｌｏｎｇ  Ｔｅｒｍ  Ｅｖｏｌｕｔｉｏｎ）方式及びＬＴＥ-Ａｄｖａｎｃｅｄ方式の移動通信システムでは、ＭＢＳＦＮ（Ｍｕｌｔｉ-Ｍｅｄｉａ  Ｂｒｏａｄｃａｓｔ  ｏｖｅｒ  Ｓｉｎｇｌｅ  Ｆｒｅｑｕｅｎｃｙ  Ｎｅｔｗｏｒｋ）用のサブフレーム（以下、ＭＢＳＦＮサブフレーム）を設定することができるように構成されている。
【０００３】
また、ＬＴＥ-Ａｄｖａｎｃｅｄ方式の移動通信システムでは、無線基地局ＤｅＮＢ配下にリレーノードＲＮを配置することができるように構成されている。
【先行技術文献】
【非特許文献】
【０００４】
【非特許文献１】３ＧＰＰ  ＴＳ３６.３００、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｏｖｅｒａｌｌ  ｄｅｓｃｒｉｐｔｉｏｎ；Ｓｔａｇｅ２」、２００９年１２月
【非特許文献２】３ＧＰＰ  ＴＲ３６.９１２、「Ｆｅａｓｉｂｉｌｉｔｙ  ｓｔｕｄｙ  ｆｏｒ  Ｆｕｒｔｈｅｒ  Ａｄｖａｎｃｅｍｅｎｔｓ  ｆｏｒ  Ｅ-ＵＴＲＡ（ＬＴＥ-Ａｄｖａｎｃｅｄ）」、２０１０年３月
【発明の概要】
【発明が解決しようとする課題】
【０００５】
しかしながら、無線基地局ＤｅＮＢが、リレーノードＲＮに対して、ＭＢＳＦＮサブフレームを設定するように指示する場合、無線基地局ＤｅＮＢとリレーノードＲＮとの間で、ＭＢＳＦＮサブフレームを有効にするタイミングについて同期させることができないという問題点があった。
【０００６】
そこで、本発明は、上述の課題に鑑みてなされたものであり、無線基地局ＤｅＮＢとリレーノードＲＮとの間でＭＢＳＦＮサブフレームを有効にするタイミングについて同期させることができる移動通信方法及びリレーノードを提供することを目的とする。
【課題を解決するための手段】
【０００７】
本発明の第１の特徴は、移動通信方法であって、無線基地局が、リレーノードに対して、ＭＢＳＦＮサブフレームの設定情報及び所定期間を通知する構成情報を送信する工程と、前記リレーノードが、前記構成情報を受信してから前記所定期間が経過した際に、前記ＭＢＳＦＮサブフレームの設定情報を有効にする工程とを有することを要旨とする。
【０００８】
本発明の第２の特徴は、移動通信方法であって、無線基地局が、リレーノードに対して、ＭＢＳＦＮサブフレームの設定情報を通知する構成情報を送信する工程と、前記リレーノードが、前記構成情報を受信した後、所定システムフレームの送受信タイミングが到来した際に、前記ＭＢＳＦＮサブフレームの設定情報を有効にする工程とを有することを要旨とする。
【０００９】
本発明の第３の特徴は、リレーノードであって、無線基地局から、ＭＢＳＦＮサブフレームの設定情報及び所定期間を通知する構成情報を受信した場合、該構成情報を受信してから該所定期間が経過した際に、該ＭＢＳＦＮサブフレームの設定情報を有効にするように構成されている設定部を具備することを要旨とする。
【００１０】
本発明の第４の特徴は、リレーノードであって、無線基地局から、ＭＢＳＦＮサブフレームの設定情報を通知する構成情報を受信した後、所定システムフレームの送受信タイミングが到来した際に、該ＭＢＳＦＮサブフレームの設定情報を有効にするように構成されている設定部を具備することを要旨とする。
【発明の効果】
【００１１】
以上説明したように、本発明によれば、無線基地局ＤｅＮＢとリレーノードＲＮとの間でＭＢＳＦＮサブフレームを有効にするタイミングについて同期させることができる移動通信方法及びリレーノードを提供することができる。
【図面の簡単な説明】
【００１２】
【図１】本発明の第１の実施形態に係る移動通信システムの全体構成図である。
【図２】本発明の第１の実施形態に係るリレーノードの機能ブロック図である。
【図３】本発明の第１の実施形態に係る移動通信システムの動作を説明するための図である。
【図４】本発明の第２の実施形態に係る移動通信システムの動作を示すシーケンス図である。
【発明を実施するための形態】
【００１３】
（本発明の第１の実施形態に係る移動通信システム）
図１乃至図３を参照して、本発明の第１の実施形態に係る移動通信システムについて説明する。
【００１４】
図１に示すように、本実施形態に係る移動通信システムは、無線基地局ＤｅＮＢと、リレーノードＲＮとを具備している。
【００１５】
図２に示すように、リレーノードＲＮは、ＲＲＣ  Ｃｏｎｎｅｃｔｉｏｎ  Ｒｅｃｏｎｆｉｇｕｒａｔｉｏｎ処理部１１と、ＭＢＳＦＮサブフレーム設定部１２と、送信部１３とを具備している。
【００１６】
ＲＲＣ  Ｃｏｎｎｅｃｔｉｏｎ  Ｒｅｃｏｎｆｉｇｕｒａｔｉｏｎ処理部１１は、無線基地局ＤｅＮＢとの間のＲＲＣコネクションの再構成処理を行うように構成されている。
【００１７】
例えば、ＲＲＣ  Ｃｏｎｎｅｃｔｉｏｎ  Ｒｅｃｏｎｆｉｇｕｒａｔｉｏｎ処理部１１は、無線基地局ＤｅＮＢから、ＭＢＳＦＮサブフレームの設定情報及び所定期間を通知する「ＲＲＣ  Ｃｏｎｎｅｃｔｉｏｎ  Ｒｅｃｏｎｆｉｇｕｒａｔｉｏｎ」を受信するように構成されている。
【００１８】
ＭＢＳＦＮサブフレーム設定部１２は、ＲＲＣ  Ｃｏｎｎｅｃｔｉｏｎ  Ｒｅｃｏｎｆｉｇｕｒａｔｉｏｎ処理部１１によって「ＲＲＣ  Ｃｏｎｎｅｃｔｉｏｎ  Ｒｅｃｏｎｆｉｇｕｒａｔｉｏｎ」が受信されてから所定期間が経過した際に、ＭＢＳＦＮサブフレームの設定情報を有効にするように構成されている。
【００１９】
例えば、「ＲＲＣ  Ｃｏｎｎｅｃｔｉｏｎ  Ｒｅｃｏｎｆｉｇｕｒａｔｉｏｎ」によって、所定期間として「Ａｃｔｉｖａｔｉｏｎタイマ＝Ｔサブフレーム」が通知された場合、ＭＢＳＦＮサブフレーム設定部１２は、「ＲＲＣ  Ｃｏｎｎｅｃｔｉｏｎ  Ｒｅｃｏｎｆｉｇｕｒａｔｉｏｎ」が受信されてからＴサブフレームに対応する時間が経過した際に（すなわち、図３におけるタイミングｔ４において）、ＭＢＳＦＮサブフレームの設定情報によって指定されているサブフレームのＭＢＳＦＮサブフレームとしての使用を開始するように構成されている。
【００２０】
送信部１３は、ＭＢＳＦＮサブフレームの設定情報を有効にするタイミングよりも「ＢＣＣＨ  ｍｏｄｉｆｉｃａｔｉｏｎ  ｐｅｒｉｏｄ」に対応する時間だけ前のタイミング（すなわち、図４におけるタイミングｔ３）から、配下のセル内の移動局ＵＥに対して、報知情報の内容が変更になることを通知するように構成されている。
【００２１】
例えば、送信部１３は、ページングメッセージ内の情報要素として送信される「ＳｙｓｔｅｍＩｎｆｏＭｏｄｉｆｉｃａｔｉｏｎ」を「ｔｒｕｅ」に設定すること若しくはＳＩＢ１内の情報要素として送信される「ｓｙｓｔｅｍＩｎｆｏＶａｌｕｅＴａｇ」の値を変更することにより、報知情報の内容が変更になったことを移動局に通知するように構成されている。
【００２２】
以下、図３を参照して、本実施形態に係る移動通信システムの動作について説明する。
【００２３】
図３に示すように、ステップＳ１００１（タイミングｔ１）において、無線基地局ＤｅＮＢは、リレーノードＲＮに対して、ＭＢＳＦＮサブフレームの設定情報及び所定期間を通知する「ＲＲＣ  Ｃｏｎｎｅｃｔｉｏｎ  Ｒｅｃｏｎｆｉｇｕｒａｔｉｏｎ」を送信する。
【００２４】
図３の例では、無線基地局ＤｅＮＢは、リレーノードＲＮに対して、所定期間として、「Ａｃｔｉｖａｔｉｏｎタイマ＝Ｔサブフレーム」を通知する。
【００２５】
ステップＳ１００２（タイミングｔ２）において、リレーノードＲＮは、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００２６】
その後、リレーノードＲＮは、「ＲＲＣ  Ｃｏｎｎｅｃｔｉｏｎ  Ｒｅｃｏｎｆｉｇｕｒａｔｉｏｎ」を受信してから所定時間（Ｔサブフレームに対応する時間）が経過した際に、すなわち、ステップＳ１００４（タイミングｔ４）において、ＭＢＳＦＮサブフレームの設定情報を有効にする、すなわち、ＭＢＳＦＮサブフレームの設定情報によって指定されているサブフレームのＭＢＳＦＮサブフレームとしての使用を開始する。
【００２７】
同様に、無線基地局ＤｅＮＢは、「ＲＲＣ  Ｃｏｎｎｅｃｔｉｏｎ  Ｒｅｃｏｎｆｉｇｕｒａｔｉｏｎ」を送信してから所定時間（Ｔサブフレームに対応する時間）が経過した際に、すなわち、ステップＳ１００４（タイミングｔ４）において、ＭＢＳＦＮサブフレームの設定情報を有効にする、すなわち、ＭＢＳＦＮサブフレームの設定情報によって指定されているサブフレームのＭＢＳＦＮサブフレームとしての使用を開始する。
【００２８】
なお、リレーノードＲＮは、ＭＢＳＦＮサブフレームの設定情報を有効にするタイミングｔ４よりも「ＢＣＣＨ  ｍｏｄｉｆｉｃａｔｉｏｎ  ｐｅｒｉｏｄ」に対応する時間ＴＢだけ前のタイミング、すなわち、タイミングｔ３から、リレーノードＲＮ配下のセル内の移動局ＵＥに対して、報知情報の内容が変更になることを通知するページングメッセージ若しくはＳＩＢ１を送信する。
【００２９】
すなわち、リレーノードＲＮは、「ＢＣＣＨ  ｍｏｄｉｆｉｃａｔｉｏｎ  ｐｅｒｉｏｄ＃１」において、報知情報の内容が変更になることを通知するページングメッセージ若しくはＳＩＢ１を送信する。
【００３０】
その後、リレーノードＲＮは、「ＢＣＣＨ  ｍｏｄｉｆｉｃａｔｉｏｎ  ｐｅｒｉｏｄ＃２」において、変更された報知情報（「Ｕｐｄａｔｅｄ  ｉｎｆｏｒｍａｔｉｏｎ」）を送信する。
【００３１】
本実施形態に係る移動通信にシステムによれば、「ＲＲＣ  Ｃｏｎｎｅｃｔｉｏｎ  Ｒｅｃｏｎｆｉｇｕｒａｔｉｏｎ」の送受信タイミングｔ１からＴサブフレームに対応する時間が経過した際に、リレーノードＲＮ及び無線基地局ＤｅＮＢの双方が、ＭＢＳＦＮサブフレームの設定情報を有効にするように構成されているので、無線基地局ＤｅＮＢとリレーノードＲＮとの間でＭＢＳＦＮサブフレームを有効にするタイミングについて同期させることができる。
【００３２】
（本発明の第２の実施形態に係る移動通信システム）
図４を参照して、本発明の第２の実施形態に係る移動通信システムの構成について説明する。以下、本実施形態に係る移動通信システムについて、上述の第１の実施形態に係る移動通信システムとの相違点に着目して説明する。
【００３３】
本実施形態に係るリレーノードＲＮのＭＢＳＦＮサブフレーム設定部１２は、ＲＲＣ  Ｃｏｎｎｅｃｔｉｏｎ  Ｒｅｃｏｎｆｉｇｕｒａｔｉｏｎ処理部１１によって「ＲＲＣ  Ｃｏｎｎｅｃｔｉｏｎ  Ｒｅｃｏｎｆｉｇｕｒａｔｉｏｎ」が受信された後、所定システムフレーム（例えば、システムフレームＳＦＮ＃０）の送受信タイミングが到来した際に（すなわち、図４におけるタイミングｔ４において）、ＭＢＳＦＮサブフレームの設定情報を有効にするように構成されている。
【００３４】
以下、図４を参照して、本実施形態に係る移動通信システムの動作について説明する。
【００３５】
図４に示すように、ステップＳ２００１（タイミングｔ１）において、無線基地局ＤｅＮＢは、リレーノードＲＮに対して、ＭＢＳＦＮサブフレームの設定情報を通知する「ＲＲＣ  Ｃｏｎｎｅｃｔｉｏｎ  Ｒｅｃｏｎｆｉｇｕｒａｔｉｏｎ」を送信する。
【００３６】
図４の例では、リレーノードＲＮが「ＲＲＣ  Ｃｏｎｎｅｃｔｉｏｎ  Ｒｅｃｏｎｆｉｇｕｒａｔｉｏｎ」を送信したタイミングでは、システムフレームＳＦＮ＃１００の送受信タイミングが到来しているものとする。
【００３７】
ステップＳ２００２（タイミングｔ２）において、リレーノードＲＮは、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００３８】
その後、リレーノードＲＮは、「ＲＲＣ  Ｃｏｎｎｅｃｔｉｏｎ  Ｒｅｃｏｎｆｉｇｕｒａｔｉｏｎ」を受信した後、システムフレーム番号（Ｓｙｓｔｅｍ  Ｆｒａｍｅ  Ｎｕｍｂｅｒ）が一巡し、システムフレームＳＦＮ＃０の送受信タイミングが到来した際に、すなわち、ステップＳ２００４（タイミングｔ４）において、ＭＢＳＦＮサブフレームの設定情報を有効にする、すなわち、ＭＢＳＦＮサブフレームの設定情報によって指定されているサブフレームのＭＢＳＦＮサブフレームとしての使用を開始する。
【００３９】
ＬＴＥ方式の移動通信システムででは、システムフレーム番号は、１０ビットの領域で表現されるため、システムフレーム番号は、「１０２４」になった後、「０」に戻り、再び増加していく。
【００４０】
同様に、無線基地局ＤｅＮＢは、「ＲＲＣ  Ｃｏｎｎｅｃｔｉｏｎ  Ｒｅｃｏｎｆｉｇｕｒａｔｉｏｎ」を送信した後、システムフレーム番号が一巡し、システムフレームＳＦＮ＃０の送受信タイミングが到来した際に、すなわち、ステップＳ２００４（タイミングｔ４）において、ＭＢＳＦＮサブフレームの設定情報を有効にする、すなわち、ＭＢＳＦＮサブフレームの設定情報によって指定されているサブフレームのＭＢＳＦＮサブフレームとしての使用を開始する。
【００４１】
なお、リレーノードＲＮは、ＭＢＳＦＮサブフレームの設定情報を有効にするタイミングｔ４よりも「ＢＣＣＨ  ｍｏｄｉｆｉｃａｔｉｏｎ  ｐｅｒｉｏｄ」に対応する時間ＴＢだけ前のタイミング、すなわち、タイミングｔ３から、リレーノードＲＮ配下のセル内の移動局ＵＥに対して、報知情報の内容が変更になることを通知するページングメッセージ若しくはＳＩＢ１を送信する。
【００４２】
すなわち、リレーノードＲＮは、「ＢＣＣＨ  ｍｏｄｉｆｉｃａｔｉｏｎ  ｐｅｒｉｏｄ＃１」において、報知情報の内容が変更になることを通知するページングメッセージ若しくはＳＩＢ１を送信する。
【００４３】
その後、リレーノードＲＮは、「ＢＣＣＨ  ｍｏｄｉｆｉｃａｔｉｏｎ  ｐｅｒｉｏｄ＃２」において、変更された報知情報（「Ｕｐｄａｔｅｄ  ｉｎｆｏｒｍａｔｉｏｎ」）を送信する。
【００４４】
本実施形態に係る移動通信にシステムによれば、「ＲＲＣ  Ｃｏｎｎｅｃｔｉｏｎ  Ｒｅｃｏｎｆｉｇｕｒａｔｉｏｎ」の送受信タイミングｔ１（システムフレームＳＦＮ＃１００の送受信タイミング）の後、システムフレーム番号が一巡し、システムフレームＳＦＮ＃０の送受信タイミングが到来した際に、リレーノードＲＮ及び無線基地局ＤｅＮＢの双方が、ＭＢＳＦＮサブフレームの設定情報を有効にするように構成されているので、無線基地局ＤｅＮＢとリレーノードＲＮとの間でＭＢＳＦＮサブフレームを有効にするタイミングについて同期させることができる。
【００４５】
以上に述べた実施形態の特徴は、以下のように表現されていてもよい。
【００４６】
本実施形態の第１の特徴は、移動通信方法であって、無線基地局ＤｅＮＢが、リレーノードＲＮに対して、ＭＢＳＦＮサブフレームの設定情報及び所定期間を通知する「ＲＲＣ  Ｃｏｎｎｅｃｔｉｏｎ  Ｒｅｃｏｎｆｉｇｕｒａｔｉｏｎ（構成情報）」を送信する工程と、リレーノードＲＮが、「ＲＲＣ  Ｃｏｎｎｅｃｔｉｏｎ  Ｒｅｃｏｎｆｉｇｕｒａｔｉｏｎ」を受信してから所定時間が経過した際に、すなわち、タイミングｔ４において、ＭＢＳＦＮサブフレームの設定情報を有効にする工程とを有することを要旨とする。
【００４７】
本実施形態の第２の特徴は、移動通信方法であって、無線基地局ＤｅＮＢが、リレーノードＲＮに対して、ＭＢＳＦＮサブフレームの設定情報を通知する「ＲＲＣ  Ｃｏｎｎｅｃｔｉｏｎ  Ｒｅｃｏｎｆｉｇｕｒａｔｉｏｎ」を送信する工程と、リレーノードＲＮが、「ＲＲＣ  Ｃｏｎｎｅｃｔｉｏｎ  Ｒｅｃｏｎｆｉｇｕｒａｔｉｏｎ」を受信した後、所定システムフレーム（例えば、システムフレームＳＦＮ＃０）の送受信タイミングが到来した際に、すなわち、タイミングｔ４において、ＭＢＳＦＮサブフレームの設定情報を有効にする工程とを有することを要旨とする。
【００４８】
本実施形態の第１の特徴及び第２の特徴において、リレーノードＲＮが、ＭＢＳＦＮサブフレームの設定情報を有効にするタイミングｔ４よりも「ＢＣＣＨ  ｍｏｄｉｆｉｃａｔｉｏｎ  ｐｅｒｉｏｄ（報知情報変更期間）」に対応する時間ＴＢだけ前のタイミング、すなわち、タイミングｔ３から、リレーノードＲＮ配下のセル内の移動局ＵＥに対して、報知情報の内容が変更になることを通知するページングメッセージ若しくはＳＩＢ１を送信する工程を有してもよい。
【００４９】
本実施形態の第３の特徴は、リレーノードＲＮであって、無線基地局ＤｅＮＢから、ＭＢＳＦＮサブフレームの設定情報及び所定期間を通知する「ＲＲＣ  Ｃｏｎｎｅｃｔｉｏｎ  Ｒｅｃｏｎｆｉｇｕｒａｔｉｏｎ」を受信した場合、「ＲＲＣ  Ｃｏｎｎｅｃｔｉｏｎ  Ｒｅｃｏｎｆｉｇｕｒａｔｉｏｎ」を受信してから所定期間が経過した際に、すなわち、タイミングｔ４において、ＭＢＳＦＮサブフレームの設定情報を有効にするように構成されているＭＢＳＦＮサブフレーム設定部１２を具備することを要旨とする。
【００５０】
本実施形態の第４の特徴は、リレーノードＲＮであって、無線基地局ＤｅＮＢから、ＭＢＳＦＮサブフレームの設定情報を通知する「ＲＲＣ  Ｃｏｎｎｅｃｔｉｏｎ  Ｒｅｃｏｎｆｉｇｕｒａｔｉｏｎ」を受信した後、所定システムフレーム（例えば、システムフレームＳＦＮ＃０）の送受信タイミングが到来した際に、すなわち、タイミングｔ４において、ＭＢＳＦＮサブフレームの設定情報を有効にするように構成されているＭＢＳＦＮサブフレーム設定部１２を具備することを要旨とする。
【００５１】
本実施形態の第３の特徴及び第４の特徴において、ＭＢＳＦＮサブフレームの設定情報を有効にするタイミングｔ４よりも「ＢＣＣＨ  ｍｏｄｉｆｉｃａｔｉｏｎ  ｐｅｒｉｏｄ」に対応する時間ＴＢだけ前のタイミング、すなわち、タイミングｔ３から、配下のセル内の移動局ＵＥに対して、報知情報の内容が変更になることを通知するページングメッセージ若しくはＳＩＢ１を送信するように構成されている送信部１３を具備してもよい。
【００５２】
なお、上述の移動局ＵＥや無線基地局ＤｅＮＢやリレーノードＲＮの動作は、ハードウェアによって実施されてもよいし、プロセッサによって実行されるソフトウェアモジュールによって実施されてもよいし、両者の組み合わせによって実施されてもよい。
【００５３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＤｅＮＢやリレーノードＲＮ内に設けられていてもよい。また、かかる記憶媒体及びプロセッサは、ディスクリートコンポーネントとして移動局ＵＥや無線基地局ＤｅＮＢやリレーノードＲＮ内に設けられていてもよい。
【００５５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００５６】
ＵＥ…移動局
ＲＮ…リレーノード
ＤｅＮＢ…無線基地局
１１…ＲＲＣ  Ｃｏｎｎｅｃｔｉｏｎ  Ｒｅｃｏｎｆｉｇｕｒａｔｉｏｎ処理部
１２…ＭＢＳＦＮサブフレーム設定部
１３…送信部
【図１】
2011223122.tif 000003
【図２】
2011223122.tif 000004
【図３】
2011223122.tif 000005
【図４】
2011223122.tif 000006